(57)【要約】【課題】プロジェクタを利用者から見えなくする入力台および入力台システムを提供する。【解決手段】プロジェクタ１００に対して入力台１０が設置可能である。入力台１０は、映像を投影可能な投影面３１と、投影面３１に対する入力操作を受け付けるための電子ペン７０と、前方においてプロジェクタ１００の全体を遮蔽するカバー２０とを備える。カバー２０は、プロジェクタ１００の投影光Ｌの少なくとも一部が投影面３１に到達できるように構成される。【選択図】図１５
2020042201.tif 000002
【特許請求の範囲】
【請求項１】
プロジェクタに対して設置可能な入力台であって、
映像を投影可能な投影面と、
水平な一方向において前記プロジェクタの全体を遮蔽する遮蔽構造であって、前記プロジェクタの投影光の少なくとも一部が前記投影面に到達できるように構成される、遮蔽構造と、
を備え、入力デバイスから前記投影面に対する入力操作を受け付ける、入力台。
【請求項２】
前記遮蔽構造には、前記プロジェクタの投影光が通過可能な開口が形成され、
前記開口は水平に形成されるか、または、前記開口の前記一方向の縁が、前記開口の前記一方向と反対側の縁よりも下方となるように形成される、請求項１に記載の入力台。
【請求項３】
前記遮蔽構造は、
前記一方向において前記プロジェクタの投光部を遮蔽する、第１遮蔽部と、
前記一方向において前記投光部を遮蔽しない、第２遮蔽部と
を備え、
前記第１遮蔽部の下縁および前記第２遮蔽部の上縁は、いずれも、水平に、かつ前記一方向に対して垂直となる方向に、延びるように構成され、
前記第１遮蔽部の前記下縁は、前記第２遮蔽部の前記上縁と同じ高さ位置に、または、前記上縁よりも低い高さ位置に、配置され、
前記第１遮蔽部の前記下縁は、前記プロジェクタに対して、前記第２遮蔽部の前記上縁よりも離れて配置される、
請求項２に記載の入力台。
【請求項４】
前記入力台は、プロジェクタを載置するための載置部をさらに備え、前記載置部の表面の一部が前記投影面を構成する、請求項１〜３のいずれか一項に記載の入力台。
【請求項５】
前記入力デバイスが送信する入力信号を前記プロジェクタが受信し、前記プロジェクタが入力信号を入力情報として記憶する制御装置に送信するとき、前記遮蔽構造は、前記入力信号を前記プロジェクタが受信するように、前記入力信号を遮断しないことを特徴とする、請求項１〜４のいずれか一項に記載の入力台。
【請求項６】
請求項１〜４のいずれか一項に記載の入力台と、前記プロジェクタと、前記入力デバイスとを備える、入力台システム。
【発明の詳細な説明】
【技術分野】
【０００１】
本発明は、プロジェクタに対して設置可能な入力台および入力台システムに関する。
【背景技術】
【０００２】
電子ペン等の入力デバイスを用いて入力を行うシステムにおいて、入力スクリーンの表示をプロジェクタによって行う場合がある。このようなシステムでは、入力枠や入力デバイスの検知可能範囲等を、プロジェクタが投影する画像を用いて示すことができる。このようなシステムの例は、特許文献１〜４に記載される。
【先行技術文献】
【特許文献】
【０００３】
【特許文献１】特開２００８−１３４７９３号公報
【特許文献２】特開２０１１−１４５７６５号公報
【特許文献３】特開２０１６−１６２３１０号公報
【特許文献４】特開２０１６−１１０５０９号公報
【発明の概要】
【発明が解決しようとする課題】
【０００４】
しかしながら、従来の構成では、利用者からプロジェクタが見えてしまうという問題があった。
【０００５】
たとえば特許文献１〜３の構成では、プロジェクタを遮蔽するような構造が存在しないので、プロジェクタの投光部からの投影光が利用者の目に直接届き、利用者に眩しさ等の不快感を与える。また、プロジェクタ本体、とくにボタンやスイッチ等も利用者に見えてしまうので、利用者が不適切な操作を行ったり、プロジェクタを破損させてしまう可能性もある。
【０００６】
なお、特許文献４の構成では、プロジェクタの一部は遮蔽されているが、投光部自体は利用者から直接見える位置にあり、眩しさを感じさせる。また、特許文献４の構成は、例外的に小型かつ軽量のプロジェクタを想定しており、通常の寸法および重量のプロジェクタでは実現が困難である。
【０００７】
この発明は、このような問題点を解決するためになされたものであり、プロジェクタを利用者から見えなくする入力台および入力台システムを提供することを目的とする。
【課題を解決するための手段】
【０００８】
上述の問題点を解決するため、この発明に係る入力台は、プロジェクタに対して設置可能な入力台であって、
映像を投影可能な投影面と、
水平な一方向において前記プロジェクタの全体を遮蔽する遮蔽構造であって、前記プロジェクタの投影光の少なくとも一部が前記投影面に到達できるように構成される、遮蔽構造と、
を備え、入力デバイスから前記投影面に対する入力操作を受け付ける。
特定の態様によれば、
前記遮蔽構造には、前記プロジェクタの投影光が通過可能な開口が形成され、
前記開口は水平に形成されるか、または、前記開口の前記一方向の縁が、前記開口の前記一方向と反対側の縁よりも下方となるように形成される。
特定の態様によれば、
前記遮蔽構造は、
前記一方向において前記プロジェクタの投光部を遮蔽する、第１遮蔽部と、
前記一方向において前記投光部を遮蔽しない、第２遮蔽部と
を備え、
前記第１遮蔽部の下縁および前記第２遮蔽部の上縁は、いずれも、水平に、かつ前記一方向に対して垂直となる方向に、延びるように構成され、
前記第１遮蔽部の前記下縁は、前記第２遮蔽部の前記上縁と同じ高さ位置に、または、前記上縁よりも低い高さ位置に、配置され、
前記第１遮蔽部の前記下縁は、前記プロジェクタに対して、前記第２遮蔽部の前記上縁よりも離れて配置される。
特定の態様によれば、前記入力台は、プロジェクタを載置するための載置部をさらに備え、前記載置部の表面の一部が前記投影面を構成する。
特定の態様によれば、前記入力デバイスが送信する入力信号を前記プロジェクタが受信し、前記プロジェクタが入力信号を入力情報として記憶する制御装置に送信するとき、前記遮蔽構造は、前記入力信号を前記プロジェクタが受信するように、前記入力信号を遮断しないことを特徴とする。
また、この発明に係る入力台システムは、上述の入力台と、前記プロジェクタと、前記入力デバイスとを備える。
【発明の効果】
【０００９】
この発明に係る入力台および入力台システムによれば、遮蔽構造がプロジェクタの前方を遮蔽するので、利用者からプロジェクタが見えないようになる。
【図面の簡単な説明】
【００１０】
【図１】本発明の実施の形態１に係る入力台の正面図である。
【図２】図１の入力台の背面図である。
【図３】図１の入力台の右側面図である。
【図４】図１の入力台の平面図である。
【図５】図１の入力台の底面図である。
【図６】図１の入力台の斜視図である。
【図７】図１の入力台の、カバーを開いた状態の例を示す図である。
【図８】図１の入力台の、カバーを閉じた状態の例を示す図である。
【図９】図１のカバーの正面図である。
【図１０】図１のカバーの背面図である。
【図１１】図１のカバーの右側面図である。
【図１２】図１のカバーの平面図である。
【図１３】図１のカバーの底面図である。
【図１４】図１のカバーの斜視図である。
【図１５】プロジェクタとカバーとの位置関係の例を示す図である。
【図１６】プロジェクタによる投影内容例を示す図である。
【図１７】図１の入力台に備えられる電子ペンを示す図である。
【図１８】図１の入力台の利用例を示す図である。
【発明を実施するための形態】
【００１１】
以下、この発明の実施の形態を添付図面に基づいて説明する。
実施の形態１．
図１〜６に、本発明の実施の形態１に係る入力台１０の構成の例を示す。また、図７および図８において、入力台１０の一部の構成の例を示す。入力台１０について、図１および図３に示す直交矢印のように座標系を定義する。図１は正面図（前方から見た図）であり、図２は背面図（後方から見た図）であり、図３は右側面図（右から見た図）であり、図４は平面図（上から見た図）であり、図５は底面図（下から見た図）であり、図６は斜視図である。上および下はそれぞれ鉛直な向きであり、前後左右はいずれも水平な向きである。
【００１２】
図６等に示すように、入力台１０はテーブル３０を備える。図７および図８に示すように、テーブル３０にはプロジェクタ１００が載置できるようになっている。このように、入力台１０と、プロジェクタ１００とが、本実施形態に係る入力台システムを構成する。入力台１０はカバー２０を備えており、プロジェクタ１００はカバー２０の奥に配置される。
【００１３】
図７はカバー２０が開いた状態の例を示し、図８はカバー２０が閉じた状態の例を示す。図７および図８では、カバー２０、テーブル３０、ジョイント６０、入力台１０の天板、および入力台１０の左側板のみを示す。本実施形態では、カバー２０はジョイント６０を介して入力台１０の両側板に支持され、開閉可能となっている。
【００１４】
図２および図４等に示すように、入力台１０は背面および上面にそれぞれパンチングメタル４１および４２を備える。パンチングメタル４１および４２を介して、入力台１０の内外で空気が流通可能である。
【００１５】
図３および図６等に示すように、入力台１０は両側に目隠板５０を備える。目隠板５０は半透明である（すなわち、ある程度の透光性を有する）。目隠板５０により、入力台１０の左右にいる人からはテーブル３０等が視認困難となっている。
【００１６】
プロジェクタ１００は、映写機または投光機等と呼ばれるものであってもよく、投光部を備えており、画像を表す光（投影光）を投光部から発することができる。
【００１７】
図９〜１４に、本発明の実施の形態１に係るカバー２０の構成の例を示す。図９は正面図であり、図１０は背面図であり、図１１は右側面図であり、図１２は平面図であり、図１３は底面図であり、図１４は斜視図である。
【００１８】
本実施形態に係るカバー２０は、上遮蔽板２１、中遮蔽板２２、下遮蔽板２３、および２枚の接続板２４を備え、これらが連結または一体に形成されて構成される。また、本実施形態では、上遮蔽板２１、中遮蔽板２２、下遮蔽板２３、および２枚の接続板２４はいずれも平面状であり、それぞれ一枚の板状構造として形成される。
【００１９】
上遮蔽板２１、中遮蔽板２２および下遮蔽板２３は、この順に上から下へと配置される。上遮蔽板２１と中遮蔽板２２との間を２枚の接続板２４が接続し、中遮蔽板２２と下遮蔽板２３とは直接的に接続される。２枚の接続板２４は離間して配置され、その間に投影窓２５が形成される。投影窓２５は、上遮蔽板２１と中遮蔽板２２との間に形成される空間または開口部であるということもできる。
【００２０】
図１５に、プロジェクタ１００とカバー２０との位置関係の例を示す。なおこの図における各部材の寸法は正確ではない。この図はカバー２０が閉じられた状態のものである。プロジェクタ１００は、投光部１０１から投影光Ｌを発する。カバー２０は、前方においてプロジェクタ１００全体を遮蔽する遮蔽構造であり、これによって正面からはプロジェクタ１００が見えないようになっている。
【００２１】
テーブル３０は、本実施形態において、プロジェクタ１００を載置するための載置部として機能する。また、本実施形態では、テーブル３０の表面の一部が投影面３１を構成する。カバー２０は、プロジェクタ１００の投影光Ｌの少なくとも一部が投影面３１に到達できるように構成される。投影面３１は、映像が投影可能であるように構成されたスクリーンとして機能し、たとえば滑らかな白色の平面として形成される。投影面３１に到達した投影光Ｌは、投影面３１に画像を形成する。投影面３１において投影光Ｌが到達し得る範囲を、投影領域Ｓとする。実際に画像が投影される領域は、この投影領域Ｓの内側となる。
【００２２】
図１６に、投影領域Ｓ内に投影される画像の例を示す。この例では、「姓」および「名」を入力するための記入枠が、それぞれ７文字分だけ表示されている。
【００２３】
図１７に、入力台１０に備えられる入力デバイスの例を示す。利用者は、このような入力デバイスを用いて、投影面３１に対する入力操作を行うことができる。この例では、入力デバイスは電子ペン７０として構成される。電子ペン７０は、たとえば入力台１０の近傍に配置されてもよいし、入力台１０に接触または収納して配置されてもよい。たとえば、テーブル３０上面の右端領域（投影領域Ｓの内外を問わない）に設置されてもよい。
【００２４】
電子ペン７０は、全体として通常の筆記具（ペン等）と同等の寸法に形成され、先端部７１と、電源スイッチ７２と、把持部７３とを備える。電源スイッチ７２をＯＮとした状態で、把持部７３を握って先端部７１をテーブル３０（とくに投影面３１）に接触させると、図示しない制御装置が先端部７１の位置を検出する。これによって、利用者は、投影面３１に対する入力操作を行うことができる。
【００２５】
たとえば、利用者は、電子ペン７０を持って、図１６に示す記入枠に、先端部７１を用いて文字（姓名等）を筆記するように動かせば、制御装置に文字を入力することができる。なお、制御装置の具体的構成および具体的処理内容は適宜設計可能であるが、たとえば公知のコンピュータを用い、テキストデータの入力を受け付けて記憶する処理とすることができる。
【００２６】
なお、電子ペン７０が利用可能な位置範囲（すなわち電子ペン７０によって筆記入力が可能な領域）は、投影領域Ｓと一致するよう構成されてもよく、投影領域Ｓより狭くなるよう構成されてもよく、投影領域Ｓ内に投影される画像の領域と一致するよう構成されてもよく、画像内に表示される枠と一致するよう構成されてもよい。とくに、電子ペン７０が利用可能な位置範囲を限定し、画像または枠と一致させることにより、範囲外での誤入力を防止することができる。
【００２７】
図１５に示すように、カバー２０は、投影光Ｌの少なくとも一部が、投影面３１に到達できるように配置されている。本実施形態では、プロジェクタ１００の投光部１０１が発する投影光Ｌのうち、一部はカバー２０の投影窓２５を通過してテーブル３０の投影面３１に到達するが、投影光Ｌの他の部分は、カバー２０の上遮蔽板２１、中遮蔽板２２、下遮蔽板２３または接続板２４によって遮られ、カバー２０より前方の投影面３１には到達しない。
【００２８】
とくに、上遮蔽板２１は第１遮蔽部として、投光部１０１を前方において遮蔽する。投光部１０１は点光源であってもよいが、大きさを有する光源を含む場合には、上遮蔽板２１は投光部１０１の全体を遮蔽する。このため、投影光Ｌが前方に漏れず、利用者がカバー２０の前方に立った場合でも、眩しさ等の不快感を与えない。
【００２９】
中遮蔽板２２および下遮蔽板２３は、第２遮蔽部として、プロジェクタ１００のうち投光部１０１以外の部分の一部（この例では下部）を、前方において遮蔽する。このため、プロジェクタ１００の下部にボタンやスイッチ等の操作手段が設けられている場合でも、それらの操作手段が利用者に見えず、また利用者が操作手段を操作することも困難である。なお、本実施形態では、中遮蔽板２２および下遮蔽板２３は、投光部１０１を前方において遮蔽するわけではない。
【００３０】
このように、カバー２０により、プロジェクタ１００全体が、前方において遮蔽される。また、本実施形態では、入力台１０は両側板を備えるので、前方のみならず、前方（正面）を含む少なくとも水平方向１８０度の範囲内において、プロジェクタ１００の全体が遮蔽される。
【００３１】
図１５を用いて、本実施形態に係るカバー２０の具体的形状について、さらに詳細に説明する。上遮蔽板２１は下縁２１ａを有する。下縁２１ａは直線状に形成され、左右方向に延びる。すなわち、下縁２１ａは、水平に、かつ前後方向に対して垂直となる向きに延びる。また、中遮蔽板２２は上縁２２ａを有する。上縁２２ａもまた直線状に形成され、左右方向に延びる。すなわち、上縁２２ａも、水平に、かつ前後方向に対して垂直となる向きに延びる。
【００３２】
上遮蔽板２１の下縁２１ａと、中遮蔽板２２の上縁２２ａとの間に、２枚の接続板２４が配置され、投影窓２５が形成される。上遮蔽板２１の下縁２１ａは、中遮蔽板２２の上縁２２ａと同じ高さに配置される。より厳密には、接続板２４の厚さを考慮すると、上遮蔽板２１の下縁２１ａは、中遮蔽板２２の上縁２２ａよりも、接続板２４の厚さだけ低い位置に配置される。上遮蔽板２１の下縁２１ａと、中遮蔽板２２の上縁２２ａとが、投影窓２５の前後方向の位置および寸法を決定する。とくに、上遮蔽板２１の下縁２１ａは、プロジェクタ１００に対して、中遮蔽板２２の上縁２２ａよりも離れて配置される。この距離の差が、投影窓２５の前後方向の寸法に対応する。
【００３３】
上遮蔽板２１の下縁２１ａの位置に応じて、投影領域Ｓの前縁の位置が変化する。本実施形態では、上遮蔽板２１の下縁２１ａは投光部１０１の前方下側に位置するので、下縁２１ａがより前方またはより上方であれば、投影領域Ｓの前縁はより前方に形成される。逆に、下縁２１ａがより後方またはより下方であれば、投影領域Ｓの前縁はより後方に形成される。
【００３４】
とくに、投影光Ｌの一部がテーブル３０を越えて前方の床等に到達するように構成するか、または投影光Ｌの全部がテーブル３０上に留まるように構成するかを、下縁２１ａの位置により決定することができる。図１５の例では、投影光Ｌが届く範囲の前端は、投影面３１の前端３１ａよりも後方にあるので、投影光Ｌはテーブル３０より下側には到達しない。
【００３５】
投影窓２５は、投影光Ｌが通過可能な開口である。本実施形態では、投影窓２５は矩形に構成される。投影窓２５の前縁が上遮蔽板２１の下縁２１ａに対応し、投影窓２５の後縁が中遮蔽板２２の上縁２２ａに対応する。投影窓２５は水平に形成されるので、投影光Ｌは投影窓２５を水平方向に通過することができず（本実施形態では斜め下向きにのみ通過可能である）、正面に立つ利用者の目には直接は届かない。
【００３６】
図１８に、入力台１０の利用方法の例を示す。入力台１０の前方に立つ利用者が、電子ペン７０を用い、投影光Ｌによって形成される画像内に入力操作を行っている。なおこの図では、左右の目隠板は透明であるものとして表されている。
【００３７】
以上説明するように、本発明の実施の形態１に係る入力台１０によれば、カバー２０がプロジェクタ１００全体の前方を遮蔽するので、前方にいる利用者からはプロジェクタ１００が見えなくなる。
【００３８】
このため、投影光Ｌが目に直接届かず、眩しさ等の不快感が抑制または防止される。また、プロジェクタ１００の前面にボタンやスイッチ等が設けられていても、それらは利用者に見えないので、利用者が不適切な操作を行ったり、プロジェクタを破損させてしまうことがない。
【００３９】
なお、実施の形態１では、プロジェクタ１００の前方において、水平方向には全体を遮蔽しつつ、斜め下向きに進む投影光Ｌの一部は通過させることができるので、プロジェクタ１００の機能性は実質的に損なわれない。
電子ペン７０により制御装置に文字を入力するとき、電子ペン７０からの入力信号をプロジェクタ１００の一部、または付属の機能として、受信した後、制御装置に入力情報として送信し、制御装置（あるいは別の装置）で入力情報を記憶するように構成することができる。その場合、カバー２０は電子ペン７０が利用可能な位置範囲のいずれにあったとしても、電子ペン７０からプロジェクタ１００の一部、または付属の機能までの入力信号を遮らないように配置する。
つまり電子ペン７０が送信する入力信号をプロジェクタ１００が受信し、プロジェクタ１００が入力信号を入力情報として記憶する制御装置に送信するように構成するとき、カバー２０は、入力信号をプロジェクタ１００が受信できるように、入力信号を遮断しない位置に配置される。
あるいは、カバー２０の奥に制御装置を配置する場合にも、電子ペン７０が利用可能な位置範囲のいずれにあったとしても、電子ペン７０からの入力信号を制御装置が受信できるように、カバー２０を配置する。
【００４０】
上述の実施の形態１において、以下のような変形を施すことができる。
実施の形態１では投影窓２５の開口部分は空隙であるが、投影光Ｌに対してある程度の透過性を有する物質が存在してもよく、たとえば透明な膜等が貼られていてもよい。
【００４１】
実施の形態１では、カバー２０はプロジェクタ１００を前方において遮蔽する。変形例として、カバー２０は、前後以外の水平な一方向においてプロジェクタ１００を遮蔽するよう配置されてもよい。
【００４２】
実施の形態１では、（接続板２４の厚さを考慮しない場合）上遮蔽板２１の下縁２１ａは、中遮蔽板２２の上縁２２ａと同じ高さ位置に形成される。変形例として、上遮蔽板２１の下縁２１ａは、中遮蔽板２２の上縁２２ａよりも実質的に低い高さ位置に配置されてもよい。すなわち、投影窓２５の前縁が、投影窓２５の後縁よりも下方となるように形成されてもよい。
【００４３】
実施の形態１では、前方１８０度の範囲内でプロジェクタ１００の全体が遮蔽されるが、少なくとも前方（正面）についてのみプロジェクタ１００が全体が遮蔽されていれば、少なくとも正面に立つ利用者については眩しさを与えない。また、本実施形態では入力台１０は背面にパンチングメタル４２を備えるが、パンチングメタル４２を省略し、水平３６０度全方向でプロジェクタ１００の全体を遮蔽してもよい。
【００４４】
実施の形態１では、第１遮蔽部（上遮蔽板２１）が投光部１０１を遮蔽し、第２遮蔽部（中遮蔽板２２および下遮蔽板２３）が投光部１０１以外の一部を遮蔽するが、この機能分担は変更可能である。たとえば、中遮蔽板２２が投光部１０１を遮蔽し、上遮蔽板２１は投光部１０１を遮蔽しないよう構成してもよい。また、上遮蔽板２１、中遮蔽板２２および下遮蔽板２３は、互いに一部重複してもよい（この場合には、たとえば、上遮蔽板２１が遮蔽する部分と、中遮蔽板２２が遮蔽する部分とが一部重複することになる）。
【００４５】
実施の形態１では、テーブル３０がプロジェクタ１００を載置する載置部として機能し、またテーブル３０の一部が投影面３１として機能する。変形例として、載置部および投影面はそれぞれ別の構造または部材によって構成されてもよい。
【００４６】
実施の形態１では、プロジェクタ１００は入力台１０の内部（とくにカバー２０の奥）に配置されるが、プロジェクタ１００が配置される位置は入力台１０の内部に限らない。たとえばカバー２０の奥が開放されていてもよいし、プロジェクタ１００はカバー２０より後方であれば入力台１０と離れた位置に配置されてもよい。ただし、そのような場合でも、入力台１０は、カバー２０が適切な位置となるように、プロジェクタ１００に対して適切な位置関係をもって設置される必要がある。
【００４７】
実施の形態１のカバー２０は開閉可能であるが、変形例ではカバー２０は開閉可能である必要はなく、たとえば閉じた状態で固定されていてもよい。なお、その場合には入力台１０の天板、側板、背面板等に、開閉可能な扉が設けられてもよい。
【００４８】
実施の形態１では、プロジェクタ１００を遮蔽するための遮蔽構造はカバー２０であり、その全体が板（上遮蔽板２１、中遮蔽板２２および下遮蔽板２３）によって構成されるが、遮蔽構造の構成単位は板に限らない。たとえば、紙または他の層状の構造であってもよく、前後方向に実質的な構造を有する立体的形状であってもよい。
【００４９】
実施の形態１では、入力デバイスによる入力操作の例として電子ペン７０による筆記入力を説明したが、入力デバイスは電子ペン７０に限らず任意の公知の構成を用いることができ、たとえば接触感知スクリーン等を用いてもよい。また、入力操作は筆記によらず任意の公知の方法を用いることができ、たとえばボタンにタッチする方式を用いてもよい。
【符号の説明】
【００５０】
１０  入力台、２０  カバー（遮蔽構造）、２１  上遮蔽板（第１遮蔽部、２１ａ  下縁）、２２  中遮蔽板（第２遮蔽部、２２ａ  上縁）、２３  下遮蔽板（第２遮蔽部）、２５  投影窓（開口）、３０  テーブル、３１  投影面、４１，４２  パンチングメタル、５０  目隠板、６０  ジョイント、７０  電子ペン（入力デバイス）、１００  プロジェクタ（１０１  投光部）、Ｌ  投影光、Ｓ  投影領域。
【図１】
2020042201.tif 000003
【図２】
2020042201.tif 000004
【図３】
2020042201.tif 000005
【図４】
2020042201.tif 000006
【図５】
2020042201.tif 000007
【図６】
2020042201.tif 000008
【図７】
2020042201.tif 000009
【図８】
2020042201.tif 000010
【図９】
2020042201.tif 000011
【図１０】
2020042201.tif 000012
【図１１】
2020042201.tif 000013
【図１２】
2020042201.tif 000014
【図１３】
2020042201.tif 000015
【図１４】
2020042201.tif 000016
【図１５】
2020042201.tif 000017
【図１６】
2020042201.tif 000018
【図１７】
2020042201.tif 000019
【図１８】
2020042201.tif 000020
【手続補正書】
【提出日】令和1年9月12日(2019.9.12)
【手続補正１】
【補正対象書類名】明細書
【補正対象項目名】０００８
【補正方法】変更
【補正の内容】
【０００８】
上述の問題点を解決するため、この発明に係る入力台は、プロジェクタに対して設置可能な入力台であって、
映像を投影可能な投影面と、
水平な一方向において前記プロジェクタの全体を遮蔽する遮蔽構造であって、前記プロジェクタの投影光の少なくとも一部が前記投影面に到達できるように構成される、遮蔽構造と、
を備え、
前記遮蔽構造は、
前記一方向において前記プロジェクタの投光部を遮蔽する、第１遮蔽部と、
前記一方向において前記投光部を遮蔽しない、第２遮蔽部と
を備え、
前記第１遮蔽部の下縁および前記第２遮蔽部の上縁は、いずれも、水平に、かつ前記一方向に対して垂直となる方向に、延びるように構成され、
前記第１遮蔽部の前記下縁は、前記第２遮蔽部の前記上縁と同じ高さ位置に、または、前記第２遮蔽部の前記上縁よりも低い高さ位置に、配置され、
前記第１遮蔽部の前記下縁は、前記プロジェクタに対して、前記第２遮蔽部の前記上縁よりも離れて配置され、
前記第１遮蔽部と前記第２遮蔽部との間には、前記プロジェクタの投影光が通過可能な開口が形成される、入力デバイスから前記投影面に対する入力操作を受け付ける。
特定の態様によれば、前記入力台は、プロジェクタを載置するための載置部をさらに備え、前記載置部の表面の一部が前記投影面を構成する。
特定の態様によれば、前記入力デバイスが送信する入力信号を前記プロジェクタが受信し、前記プロジェクタが入力信号を入力情報として記憶する制御装置に送信するとき、前記遮蔽構造は、前記入力信号を前記プロジェクタが受信するように、前記入力信号を遮断しないことを特徴とする。
また、この発明に係る入力台システムは、上述の入力台と、前記プロジェクタと、前記入力デバイスとを備える。
【手続補正２】
【補正対象書類名】特許請求の範囲
【補正対象項目名】全文
【補正方法】変更
【補正の内容】
【特許請求の範囲】
【請求項１】
プロジェクタに対して設置可能な入力台であって、
映像を投影可能な投影面と、
水平な一方向において前記プロジェクタの全体を遮蔽する遮蔽構造であって、前記プロジェクタの投影光の少なくとも一部が前記投影面に到達できるように構成される、遮蔽構造と、
を備え、
前記遮蔽構造は、
前記一方向において前記プロジェクタの投光部を遮蔽する、第１遮蔽部と、
前記一方向において前記投光部を遮蔽しない、第２遮蔽部と
を備え、
前記第１遮蔽部の下縁および前記第２遮蔽部の上縁は、いずれも、水平に、かつ前記一方向に対して垂直となる方向に、延びるように構成され、
前記第１遮蔽部の前記下縁は、前記第２遮蔽部の前記上縁と同じ高さ位置に、または、前記第２遮蔽部の前記上縁よりも低い高さ位置に、配置され、
前記第１遮蔽部の前記下縁は、前記プロジェクタに対して、前記第２遮蔽部の前記上縁よりも離れて配置され、
前記第１遮蔽部と前記第２遮蔽部との間には、前記プロジェクタの投影光が通過可能な開口が形成される、入力デバイスから前記投影面に対する入力操作を受け付ける、入力台。
【請求項２】
前記入力台は、プロジェクタを載置するための載置部をさらに備え、前記載置部の表面の一部が前記投影面を構成する、請求項１に記載の入力台。
【請求項３】
前記入力デバイスが送信する入力信号を前記プロジェクタが受信し、前記プロジェクタが入力信号を入力情報として記憶する制御装置に送信するとき、前記遮蔽構造は、前記入力信号を前記プロジェクタが受信するように、前記入力信号を遮断しないことを特徴とする、請求項１または２に記載の入力台。
【請求項４】
請求項１または２に記載の入力台と、前記プロジェクタと、前記入力デバイスとを備える、入力台システム。